(57)【要約】【課題】着用時のウエスト部の形状を保持しつつ、ウエストサイズを体型に応じて調節することができる被服を提供する。【解決手段】パンツ（１）は、第１の端部（２３）及び第２の端部（２５）を有するベルト３を備えている。また、パンツ（１）は、第１の端部（２３）と第２の端部（２５）とを重ね合わせて留める位置をベルト（３）の周方向にずらすことにより、ウエストサイズを調節するウエストサイズ調節機構（３５）と、第１の端部（２３）に設けられたボタン（３７）と、第２の端部（２５）において、ベルト（３）の周方向に沿う方向に設けられた、ボタン（３７）を留めることができる穴（３９）とを備えている。さらに、穴（３９）は、ボタン（３７）を留めた状態で、ウエストサイズ調節機構（３５）によるウエストサイズの調節操作に応じてボタン（３７）をベルト（３）の周方向に移動させることができるように、少なくともウエストサイズ調節機構（３５）により調節可能な長さを有するように設けられている。【選択図】図３
2011001640.tif 000002
【特許請求の範囲】
【請求項１】
第１及び第２の端部を有するウエスト部を備える被服であって、
前記第１の端部と第２の端部とを重ね合わせて留める位置を前記ウエスト部の周方向にずらすことにより、ウエストサイズを調節するウエストサイズ調節機構と、
前記第１の端部に設けられたボタンと、
前記第２の端部において、前記ウエスト部の周方向に沿う方向に設けられた、前記ボタンを留めることができる穴と、
を備えており、
前記穴は、前記ボタンが留められた状態において、前記ウエストサイズ調節機構によるウエストサイズの調節操作に応じて前記ボタンを前記ウエスト部の周方向に移動させることが可能な長さを有するように設けられている、
ことを特徴とする被服。
【請求項２】
前記ウエストサイズ調節機構は、前記第１及び第２の端部の一方に設けられた凸部材と、前記第１及び第２の端部の他方に設けられており、かつ、前記凸部材に係合可能に構成された凹部材とを備えており、
前記凸部材及び凹部材の少なくとも一方は、前記ウエスト部の周方向に複数設けられている、
ことを特徴とする請求項１に記載の被服。
【請求項３】
前記ボタンは、前記穴に留められたときに、当該被服の外側から視認できないように、前記第１の端部の内側に設けられている、
ことを特徴とする請求項１又は２に記載の被服。
【発明の詳細な説明】
【技術分野】
【０００１】
本発明は、被服、特に、ウエストサイズ調節機構（「アジャスター」とも呼ばれる）を備える被服、更に詳細にはウエストサイズ調節機構を備えるパンツ（ズボン）及びスカートに関する。
【背景技術】
【０００２】
従来、被服のウエストサイズを体型に応じて調節する機構として、第１及び第２の端部を有するウエスト部を備えており、かつ、それらの両方の端部を重ね合わせて留める位置を、ウエストの周方向にずらすことによりウエストサイズを調節する機構が広く用いられている。
【０００３】
例えば、特許文献１には、ウエスト部の一方の端部に、複数の溝が並設された調節用スライド帯を、それらの溝がウエスト部の周方向と直交するように取り付けられたウエストサイズ調節具を有するズボンが開示されている。このウエストサイズ調節具においては、ウエスト部の他方の端部に、上記の調節用スライド帯の溝に噛み合う突起部分を有する押圧操作体が取り付けられており、ウエスト部の両端部を重ね合わせた状態で、押圧操作体を調節用スライド帯に連結してスライドさせることにより、ウエストサイズの調節が行われる。
【先行技術文献】
【特許文献】
【０００４】
【特許文献１】特開２００２−１２９４０８号公報
【発明の概要】
【発明が解決しようとする課題】
【０００５】
しかし、上記従来のウエストサイズ調節具を用いて、ウエスト部の両端部を一ヶ所（例えば、調節用スライド帯に押圧操作体を留める位置）でのみ連結する場合、かかる位置を支点にしてウエスト部が曲がってしまったり、張りがなくなって美観を損ねるしわやうねりが発生してしまったりするなど、ズボンの着用時にウエスト部の形状が崩れやすいといった問題が生じ得る。
【０００６】
そこで、本発明は、かかる課題に鑑みてなされたものであり、着用時のウエスト部の形状が崩れないようにその形状を確実に保持しつつ、ウエストサイズを体型に応じて簡易にかつ好適に調節することができる被服を提供することを目的とする。
【課題を解決するための手段】
【０００７】
上記課題を解決するために、本発明による被服は、第１及び第２の端部を有するウエスト部を備えるものであって、それら第１の端部と第２の端部とを重ね合わせて留める（例えば、係合でも止合でもよい）位置をウエスト部の周方向にずらすことにより、ウエストサイズを調節するウエストサイズ調節機構と、第１の端部に設けられたボタンと、第２の端部において、ウエスト部の周方向に沿う方向に設けられた、ボタンを留めることができる穴とを備えており、その穴が、ボタンが留められた状態（例えば、ボタンが穴に挿嵌された状態）において、ウエストサイズ調節機構によるウエストサイズの調節操作に応じてボタンをウエスト部の周方向に移動させることが可能な長さ（開口部の延在長）を有するように設けられていることを特徴とする。
【０００８】
また、ウエストサイズ調節機構が、第１及び第２の端部の一方に設けられた凸部材と、第１及び第２の端部の他方に設けられており、かつ、凸部材に係合可能に構成された凹部材とを備えており、凸部材及び凹部材の少なくとも一方が、ウエスト部の周方向に複数設けられていても好適である。
【０００９】
さらに、ボタンが、穴に留められたときに当該被服の外側から視認できないように、第１の端部の内側に設けられていると有用である。
【発明の効果】
【００１０】
本発明の被服によれば、ウエスト部の第２の端部に設けた穴に第１の端部に設けたボタンを留めた状態で、ウエストサイズ調節機構によるウエストサイズの調節操作に応じてボタンをウエスト部の周方向に移動させることができる（この場合、穴は、ボタンを留めるためのものではなく、ボタンを移動させるためのガイトとして機能する）ので、従来の如くウエスト部が曲がってしまったり、しわやうねりが発生したりといった不都合を抑止でき、着用時のウエスト部の形状の形状が崩れないようにその形状を確実に保持しつつ、ウエストサイズを体型に応じて簡易にかつ良好に調節することができる。
【００１１】
なお、従来のウエストサイズ調節具は、ズボンなどの被服の生地の厚さが薄いものに適用され易い構成を有しており、場合によっては、ウエスト部の形状の崩れが顕在化しないものがあったのに対し、本発明者は、例えば、デニム地のような比較的厚い生地で、かつ、被服を洗い加工したり、使用に際して繰り返し洗浄したりしても、そのウエストサイズ調節機構の部位の型崩れを抑止できるという新たな観点からも、本発明を着想したものである。
【００１２】
また、本発明による被服では、上述した機能的な優位性を有するばかりでなく、ウエストサイズ調節機構が、それ自体の構成により、いかにもウエストサイズを調節するためのアジャスターであるとは全く認識されず、かつ、デザイン性にも極めて優れたものであり、その美観を格段に向上させることも可能である。そもそも、後述するとおり、本発明の被服におけるウエスト部の第２の端部に形成される穴は、従来のボタンホール形成技術からは全く想定されるものではなく、本発明による被服は、従来の技術常識から脱却した全く新しい発想の下で創作されたものと言える。
【図面の簡単な説明】
【００１３】
【図１】本発明による被服の一実施形態であるパンツの構成を模式的に示す正面図である。
【図２】図１に示すパンツの要部の外側（外部）を拡大して示す側面図（一部破断図）である。
【図３】図１に示すパンツにおけるベルトの第１の端部と第２の端部が開放された状態を示す側面図である。
【図４】図１に示すパンツの要部の内側（内部）を拡大して示す側面図（一部破断図）である。
【図５】図１に示すパンツにおけるウエストサイズ調節機構を操作してウエストサイズを伸長したときのそのパンツの要部の外側（外部）を示す側面図である。
【図６】図５に示す状態のパンツの要部の内側（内部）を示す側面図である。
【発明を実施するための形態】
【００１４】
以下、本発明の被服の一実施形態として、パンツ１について、図面を参照して説明する。なお、図に示される各部の寸法比率は、図示の例に限られず、適宜変更が可能である。また、実施形態を説明するのに用いる上下左右の方向は、特に説明を付した場合を除き、パンツ１の着用者を基準とする。さらに、各図において、いわゆるステッチを破線で示している。
【００１５】
図１は、パンツ１の構成を、その正面から見た状態を模式的に示す。なお、着用者の脚を囲う部分についてはここでの図示を省略した。
【００１６】
パンツ１は、身頃の上部開口縁にベルト３が設けられており、ベルト３には所定の間隔でベルト通し５が設けられている。また、前身頃の両脇位置には、ベルト３から下方に所定の長さ（例えば１５ｃｍ）の開口を有するポケット７が形成されている。さらに、一般的なズボンと同様に、右前身頃９ａと左前身頃９ｂの股上部分同士が隣接する位置、すなわち前身頃の上部中央位置には、開閉具によって前開き１１が形成されている。なお、本実施形態のパンツ１では、前開き１１の開閉具として、ボタンホール１３に留まるボタン１５、及びファスナー（図２参照）１７を用いている。
【００１７】
本発明においては、被服の上部開口縁から下方に所定の領域、すなわち着用者の腰周りを囲う領域を「ウエスト部」と呼ぶものとする。本実施形態では、例えばベルト３がウエスト部に相当する。
【００１８】
このパンツ１が一般的なパンツ（ズボン）と異なる点は、例えば、ベルト３が、後ろ身頃の上側縁部に縫い付けられた（縫合された）後ろベルト部１９と、右前身頃９ａの上側縁部に縫い付けられた右前ベルト部２１ａと、左前身頃９ｂの上側縁部に縫い付けられた左前ベルト部２１ｂとによって構成されている点にある。
【００１９】
より詳細には、後ろベルト部１９は、後ろ身頃の両脇から突出するように後ろ身頃に縫い付けられ、右前ベルト部２１ａは、その右端縁を右前身頃９ａの右端縁から突出させた状態で右前身頃９ａに縫い付けられ、左前ベルト部２１ｂは、その左端縁を左前身頃９ｂの左端縁から突出させた状態で左前身頃９ｂに縫い付けられている。これにより、ベルト３を構成する後ろベルト部１９、右前ベルト部２１ａ、及び左前ベルト部２１ｂは、隣り合う端部同士が重なり合うようになっている。
【００２０】
また、例えば右前ベルト部２１ａの右端部（以下「第１の端部」という。）２３は、後ろベルト部１９の右端部（以下「第２の端部」という。）２５の外側に重ね合わせて留めることができるようになっている。具体的には、第２の端部に設けられた凸部材（図３参照）２９と、第１の端部に設けられた凹部材３１とを係合させることで、両端部を留め合わせることができる。なお、本実施形態において、端部とは、端縁を含む所定領域を指すものとし、例えば第２の端部２５（図３参照）は、後ろベルト部１９の右端縁から右後ろ身頃２７までの領域を指す。
【００２１】
また、パンツ１では、上記凸部材２９及び凹部材３１は、上記第１の端部２３と第２の端部２５とを留める位置をベルト３の周方向（図１に示す矢印の方向）にずらすことにより、ウエストサイズの調節を可能にするウエストサイズ調節機構３５を構成する。なお、左前ベルト部２１ｂの左端部と後ろベルト部１９の左端部についても同様に構成されている。ウエストサイズ調節機構３５を含むパンツ１の要部、及び該ウエストサイズ調節機構３５によるウエストサイズの調節方法の詳細については、図２乃至７を参照して説明する。
【００２２】
ここで、本実施形態のパンツ１とは異なり、ウエスト部が一連の生地で構成されている被服の場合、ウエスト部のサイズを無理に調節（小さく）しようとすると、ウエスト部の一部を摘まんで他の部分に重ねることになる。この場合、その生地が三重になってしまうため、特にジーンズの如くデニム地のような厚手の生地を用いる被服の場合には、着用者に違和感を与えたえるとともに、見栄えも悪くなる（換言すれば、外観の美観を著しく損ねる）という問題が生じ易い。これに対し、パンツ１のように、ベルト３が第１の端部２３と第２の端部２５とを備え、これら端部を重ね合わせるという構成を採用する場合、これら端部が重なる位置では、常に生地が二重になるため、ジーンズの如くデニム地のような厚手の生地を用いてパンツ１を作成しても、上述のような問題を生ずることがない。
【００２３】
図２乃至図７は、パンツ１の要部、具体的にはパンツ１の右脇側に設けられたウエストサイズ調節機構３５及びその周辺部分を拡大して示す。詳細には、図２、図３、及び図５は、パンツ１の要部を外側から見た図であり、図４及び図６は、パンツ１の要部を内側から見た図である。
【００２４】
パンツ１では、ウエストサイズ調節機構３５は、図２乃至図４に示すように、第２の端部２５の外側においてベルト３の周方向に沿って所定の間隔（例えば、２．５ｃｍ間隔）で設けられた複数（図示においては２つ）の凸部材２９と、第１の端部２３の内側においてベルト３の周方向（長手方向）に沿って凸部材２９と同じ間隔で設けられた、上記凸部材２９に係合可能に構成されている複数（図示においては２つ）の凹部材３１（又は、環状部材）によって構成される。なお、これら凸部材２９及び凹部材３１の例としては、金属製のボタン（例えばスナップボタンなど）を用いることができる。
【００２５】
また、凸部材２９は、実際には、第２の端部２５を挟み込んだ状態で該端部に取り付けられており、第２の端部２５の内側と外側の両方に露出している。凹部材３１についても同様である。このように、本実施形態のパンツ１では、凹部材３１をパンツ１（具体的には第１の端部２３）の外側に露出（露呈）させることにより、凹部材３１をパンツ１のデザイン上の特徴として見せることができる。これにより、凹部材３１が凸部材２９と共にウエストサイズ調節機構３５を構成しているということが、パンツ１を見た者に気付かれにくいという顕著な効果が得られる。
【００２６】
ウエストサイズ調節機構３５は、上記凸部材２９と凹部材３１とを留め合わせる位置をベルト３の周方向にずらすことにより、ウエストサイズの調節を可能にしている。図に示す例では、パンツ１の左右にウエストサイズ調節機構が設けられているので、三段階（０ｃｍ、２．５ｃｍ、５ｃｍ）でサイズ調節が可能である。
【００２７】
本実施形態のパンツ１の実施例としてジーンズパンツを採用する場合、ウエストサイズ調節機構３５を構成する凸部材２９及び凹部材３１は、より強い力で噛み合う金属製のボタンを用いるのが好ましい。例えば、凸部材２９の突起部分を、根元付近よりも先端付近が大径となるように、かつ、その突起部分の先端付近が凹部材２９の凹部又は穴よりも僅かに大径となるように構成することにより、凸部材２９と凹部材３１とをより強固に留め合わせることができる。
【００２８】
また、前記特許文献１（特開２００２−１２９４０８号公報）に記載されているような複雑な構造のウエストサイズ調節具は、繰り返し操作されたり、砂や石を用いる洗い加工が施されるなどして外部からの圧力を受けた場合、壊れ易いという本質的な問題を包含すのに対し、金属製のボタンを用いることにより、かかる圧力を受けても壊れにくく頑強な構造を形成することができる。
【００２９】
また、パンツ１では、図３に示すように、ベルト３の第１の端部２３の内側において、凹部材３１よりも左（図では右）の位置にボタン３７が取り付けられており、第２の端部２５において、凸部材２９よりも左（図では右）の位置に、ボタン３７を留めることができる穴３９がベルト３の周方向に沿う方向（例えば、ベルト３の周方向と平行）に形成されている。この穴３９は、例えばボタンホール形成技術を用いて形成される。具体的には、穴３９は、両止め穴かがり、ハトメ穴かがり、眠りハトメ穴かがり、流れハトメ穴かがり、流れ眠りハトメ穴かがり、又は玉縁処理等の技術を用いて形成される。皮革を用いてパンツ１を作製する場合は、切り込みを設ければ足り、端処理を施す必要は必ずしもない。このように、ボタン３７は、穴３９に留められた場合に、パンツ１の外側から見えない構造になっている。なお、本実施形態のようにボタン３７をベルト３の内側に取り付ける場合、例えばプラスチック等の樹脂で形成されたボタンを採用することにより、パンツ１の着用者が胴回りにボタン３７が接触することで感じる違和感を解消することができる。
【００３０】
本実施形態では、ボタン３７及び穴３９は、図４に示すように、２つずつ設けた凹部材３１と凸部材２９とをそれぞれ留めた場合に、ボタン３７が穴３９の右端に位置するように位置決めされている。また、穴３９は、ボタン３７を留めた状態で、ウエストサイズ調節機構３５によるウエストサイズの調節操作に応じてボタン３７をベルト３の周方向に移動させることができるように、少なくとも１つのウエストサイズ調節機構３５により調節可能な長さ（本実施形態では２．５ｃｍ）を有するように設けられている。つまり、穴３９の長さは、ボタン３７の直径及び厚みを考慮して決定するという従来のボタンホール形成技術の常識から脱却し、ウエストサイズ調節機構３５により調節可能な長さを有するように決定される。なお、例えば前述の特許文献１のウエストサイズ調節具では、押圧操作体を調節用スライド帯に連結してスライドさせることでウエストサイズを無段階に調節しているが、本実施形態のパンツ１では、需要者等の要望に基づき左右のウエストサイズ調節機構３５により、例えば、０、＋２．５ｃｍ、＋５．０ｃｍという間隔で２段階のサイズ調節が可能（いわゆる１サイズアップ、２サイズアップ）となっている。
【００３１】
ここで、パンツ１におけるボタン３７の直径が１８．３ｍｍ及び厚みが約３ｍｍである場合を想定する。この場合、ボタン３７を留めるという役割のみを果たすボタンホールは、上記常識に基づき約２２ｍｍの長さに設定される。しかしながら、パンツ１では、１つのウエストサイズ調節機構３５により２．５ｃｍのサイズ調節を実現するために、穴３７の長さは、かかるサイズ調節の長さ２．５と、ボタン３７を第１の端部２３に留めている糸の束（留め糸は、ボタン３７と第１の端部２３とを複数回往復することで束になっている）の厚みとを考慮したうえで、約３０ｍｍに設定されている。これにより、ボタン３９は、ウエストサイズ調節機構３５によるウエストサイズの調節操作に応じて、穴３７に挿嵌された状態で、穴３７に沿って移動することができるようになっている。
【００３２】
このような穴３９の長さの決定方法は、従来のボタンホール形成技術の常識からは到底導き出せるものではない。また、穴かがりの技術を用いて穴３９を形成する場合、３０ｍｍという通常のボタンの直径より格段に長い穴かがりを施すためには、生地に穴を開けるために穴かがり用のミシンに取り付けられる刃物を特注しなければならないため、ボタンの直径に見合わない長さの穴かがりを施すことは実務的な観点から見ても到底考えられない。このように、パンツ１の第２の端部２５に形成される穴３９は、従来の技術常識から脱却した全く新しい発想の下で創作されたものである。
【００３３】
そして上記のように、ウエストサイズ調節機構３５の位置と、ボタン３７と穴３９とを留める位置の両方で、ベルト３の第１の端部２３と第２の端部２５とを留めるように構成することにより、ウエストサイズ調節機構３５だけで留める場合と比較して、ベルト３が曲がるなどして形状が崩れることをより一層確実に防ぐことができる。
【００３４】
また、パンツ１のポケット７は、図２乃至図４に示すように、従来のパンツが備えるサイドポケットと同様に、見返し４１を付けた袋布４３と、向う布４７を付けた袋布４９とを用いて形成される。パンツ１のポケット７の構成が従来のポケットの構成と異なる点は、見返し４１を付けた袋布４３の上部端縁が右前ベルト部２１ａに縫い合わされており、向う布４７を付けた袋布４９の上部端縁が後ろベルト部１９の端部（ここでは第２の端部２５）に縫い合わされている点、及び、袋布４３と袋布４９の左辺（図３では右側の辺）が、上部端縁から所定の範囲（例えば、約６ｃｍの範囲）において互いに縫い合わされていない点にある。
【００３５】
このように構成することにより、凸部材２９と凹部材３１とを留める位置をベルト３の周方向にずらした場合に、袋布４３，４９の上部端縁付近の領域も互いにずれることができるため、ポケット７の形状が著しく変形するのを回避することができるようになっている。
【００３６】
次に、ウエストサイズ調節機構３５によるウエストサイズの調節方法及び、その際のパンツ１の要部の状態について説明する。
【００３７】
パンツ１の着用者は、予めベルト３の第１の端部２３と第２の端部２５とを留めておき、一般的なパンツと同様に、前開き１１を開いた状態で、身頃に脚を入れてパンツ１を着用することができる。本実施形態では、パンツ１の着用前の状態（以下「初期状態」という。）として、第１の端部２３のボタン３７を第２の端部２５の穴３９に留めてから、第１の端部２３に設けられた２つの凹部材３１と、第２の端部２５に設けられた２つの凸部材２９とをそれぞれ係合させた状態を想定する。
【００３８】
初期状態のパンツ１の着用者は、腰周りに圧迫感を感じた場合には、ウエストサイズ調節機構３５を操作し、自らの胴回りの大きさに合わせてパンツ１のウエストサイズを調節することができる。具体的には、パンツ１の右脇側に設けられたウエストサイズ調節機構３５を操作し、図５及び図６に示すように、第１の端部２３の凹部材３１と第２の端部２５の凸部材２９とを留める位置をベルト３の周方向にずらし、必要に応じて、右脇側と同様にパンツ１の左脇側に設けられたウエストサイズ調節機構を操作することにより、ウエストサイズを２．５ｃｍ又は５ｃｍ大きくすることができる。この場合、ボタン３７は、穴３９から外れることなく、図４に示す位置から図６に示す位置まで左（ベルト３の周方向に沿って左回り）に穴３９内を移動する。
【００３９】
また、パンツ１では、ウエストサイズ調節機構３５を操作し、初期状態からウエストサイズを大きくした場合、凸部材２９と凹部材３１が一ヶ所でのみ係合することとなる。しかしながら、第１の端部２３に設けたボタン３７が第２の端部２５に設けた穴３９に留まっているので、第１の端部２３と第２の端部２５とを複数の位置で接続することができ、ベルト３が曲がるなどして形状が崩れるのを防ぐことができる。
【００４０】
本発明によれば、上述したように、ウエストサイズ調節機構３５によるウエストサイズの調節操作の際、ベルト３の第１の端部２３のボタン３７が、第２の端部２５の穴３９から外れることなく、穴３９内をスライド（摺動）する。これにより、ベルト３の形状が確実に保たれるという効果ばかりではなく、ボタン３７と穴３９とを介して第１の端部２３と第２の端部２５とを留めたままウエストサイズを調節することができる。加えて、ウエストサイズの調節時に、凹部材３１を凸部材２９から一時的に外しても、第１の端部２３と第２の端部２５が開いて下着が見えてしまうことを防ぐこともできるという効果が得られる。
【００４１】
以上、本発明の一実施形態を説明したが、本発明は、上記実施形態に限定されることなく種々に変形して適用することが可能である。
【００４２】
［変形例］
例えば、パンツ１では、第２の端部２５には凸部材２９が２つ設けられ、第１の端部２３には、凹部材３１が凸部材２９と同数（２つ）設けられているが、凹部材３１と凸部材２９は、いずれか一方が少なくとも複数（２以上）設けられていればよい。これにより、複数設けられた凹部材又は凸部材の間隔に応じてウエストサイズを調節することができる。なお、このように凹部材３１及び凸部材２９の一方を１つだけ設けた場合、凸部材２９と凹部材３１とが常に一ヶ所で係合されることになるが、前述したとおり、ボタン３７が穴３９に留められているので、第１の端部２３と第２の端部２５とを常に複数の位置で留めることができ、ベルト３が曲がるなどしてベルト３の形状が崩れるのを有効に防ぐことができる。
【００４３】
また、実施形態のパンツ１において、ベルト３の第１の端部２３に設けられる凹部材３１とボタン３９の位置を逆にしてもよい。この場合、第２の端部２５に設けられる凸部材２９と穴３９の位置も同様に逆にすると更に好適である。
【００４４】
さらに、パンツ１では、ベルト３の第１の端部２３を第２の端部２５の外側に重ねて留めているが、これら端部２３，２５を逆に重ね合わせるように構成してもよい。
【００４５】
なお、上記実施形態では、本発明の被服の例としてベルト３を備えるパンツ１について説明したが、ベルトを備えていないパンツ（ズボン、スラックス、キュロットなど）や、スカートにおいても、パンツ１と同様にウエスト部を構成することにより、パンツ１と同様の作用効果を得ることができる。ベルトを備えていないズボンやスカートなどの場合、着用者の腰周りを囲う領域、例えば身頃の上部端縁から所定の領域（例えば、２〜７ｃｍの領域）をウエスト部とすることができる。
【００４６】
さらにまた、パンツ１には、ウエストサイズ調節機構、ボタン３７、及び穴３９を含むパンツ１の要部が右脇側と左脇側に１つずつ設けられているが、パンツ１の要部を設ける位置及び数はこれに限られず、１つだけ設けるようにしてもよいし、３つ以上設けてももちろんよい。
【符号の説明】
【００４７】
１  パンツ
３  ベルト
５  ベルト通し
７  ポケット
９ａ  右前身頃
９ｂ  左前身頃
１１  前開き
１３  ボタンホール
１５  ボタン
１７  ファスナー
１９  後ろベルト部
２１ａ  右前ベルト部
２１ｂ  左前ベルト部
２３  第１の端部
２５  第２の端部
２７  右後ろ身頃
２９  凸部材
３１  凹部材
３５  ウエストサイズ調節機構
３７  ボタン
３９  穴
４１  見返し
４３  袋布
４７  向う布
４９  袋布
【図１】
2011001640.tif 000003
【図２】
2011001640.tif 000004
【図３】
2011001640.tif 000005
【図４】
2011001640.tif 000006
【図５】
2011001640.tif 000007
【図６】
2011001640.tif 000008